【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
内部に物品を包み込み且つ封止する包装体を形成する包装体形成材料において、
第１紙層に接着剤で冷間積層された、コロナ放電加工した第１表面を有する水不透過性のプラスチックフィルムを含む積層体であって、受け入れ接着剤又は粘着性材料を受容可能な表面を有する前記積層体の形態をした包装材料と、
前記積層体の表面の全て又は一部分に施された粘着性材料とを備え、
包装材料が包装すべき物品の周りに配置され、前記粘着性材料を含む前記包装材料の表面部分が粘着性材料を含む該表面の別の部分に接触し、該部分を互いに接着させ且つ物品を包み込む封止包装体を形成するようにした、包装体形成材料。
【請求項２】
請求項１の包装体形成材料において、第１及び第２紙層に対し接着剤で冷間積層された第１及び第２コロナ放電加工面を有する水不透過性プラスチックフィルムを含む積層体である、包装体形成材料。
【請求項３】
請求項１の包装体形成材料において、粘着性材料が包装材料の第１及び第２表面部分の上に存在し、包装材料の第１表面を包装すべき物品の上方に配置し且つ包装材料の第２表面部分を包装すべき物品の下方に配置することにより包装体が形成され、粘着性材料を含む包装材料の第１及び第２表面部分が互いに接触し且つ接着して物品を包み込む封止包装体を形成する、包装体形成材料。
【請求項４】
請求項３の包装体形成材料において、包装材料の第１及び第２表面部分が単一の積層体シートの一側部に設けられ、次に、該シートを包装すべき物品の周りで折り重ね、粘着性材料を含む部分を対面する方位に向けて配置し、これらが互いに接着して包装体を形成するようにした、包装体形成材料。
【請求項５】
請求項３の包装体形成材料において、粘着性材料が積層シートの一方の表面全体上に存在し、第１及び第２表面部分が包装すべき物品の上方及び下方に配置された第１及び第２積層シート材として提供され、粘着性材料を含む表面部分が対面する方位にあり、これらが互いに接着して包装体を形成し得るようにし、接着した粘着性部分が包装すべき物品を取り巻く、包装体形成材料。
【請求項６】
請求項１の包装体形成材料において、物品を包装すべき箇所に隣接して、粘着性材料を含む表面部分の少なくとも一部分上に配置された除去可能なライナーを備え、該表面部分の一部が粘着性材料を含むその他の表面部分に接着するのを防止し、これにより包装体が形成された後、物品に隣接する非接着縁部を形成し、包装体を開け且つ、ライナーを除去して、包装体を閉じ又は再封緘し得るように互いに接着可能な粘着性材料を含む表面部分を露出させる、包装体形成材料。
【請求項７】
請求項６の包装体形成材料において、包装体を開けることのできる箇所に表示を更に備え、該表示が非接着縁部にて包装体を開けることを可能にし、ライナーを除去し且つ粘着性材料を含む表面部分に接触して該部分を互いに接着させることにより包装体を再封緘し、再封緘した包装体を形成する、包装体形成材料。
【請求項８】
請求項７の包装体形成材料において、包装体を表示に沿って開き且つ物品を包装体から除去した後、物品を包装体内に再配置し、ライナーと、包装体に接触する粘着性材料を含む表面部分とを除去して該部分を互いに接着させることにより包装体が再封緘されるようにした、包装体形成材料。
【請求項９】
請求項３の包装体形成材料において、プラスチックフィルムが、水系アクリル共重合体組成物又は酢酸ビニルエチレン共重合体を含む接着剤により紙層に積層され、紙層が、厚さ約３から６ミルの塗被紙、クラフト紙、ボンド紙又は未印刷紙であり、プラスチックフィルムが、ポリプロピレン、ポリエチレン及びポリエステルを備え且つ厚さが約１から３ミルであり、積層体が選択的に印刷面を有し、該印刷面はプラスチックフィルムに接着され、該プラスチックフィルムが包装体の外側部分を形成するか、もしくは該印刷面は紙層に配置され、該紙層が包装体の外側部分を形成する、包装体形成材料。
【請求項１０】
請求項１の包装体形成材料において、物品を包装すべき箇所に隣接して包装材料の少なくとも一部分の上に施された感圧型接着剤と、該感圧型接着剤が包装材料のその他の部分に接着するのを防止し、これにより包装体が形成された後、非接着縁部を形成し、包装体を開け且つ、ライナーを除去して、包装体を閉じ且つ再封緘するために使用可能な粘着性材料を露出させ得るように包装体を開け且つライナーが除去されるように、感圧型接着剤の上に配置された除去可能なライナーとを更に備える、包装体形成材料。
【請求項１１】
内部に物品を包み込み且つ封止する包装体を形成する方法において、
第１紙層に接着剤で冷間積層された、コロナ放電加工した第１表面を有する水不透過性のブラスチックフィルムを含む積層体であって、受け入れる接着剤又は粘着性材料を受容可能な表面を有する前記積層体の形態にて包装材料を提供することと、
粘着性材料を積層体の表面の全て又は一部分に施すことと、
包装材料を包装すべき物品の周りに配置し、粘着性材料を含む包装材料の表面部分が粘着性材料を含む該表面の別の部分に接触し、該部分を互いに接着させ且つ物品を包み込む封止包装体を形成することにより包装体を形成することとを備える、包装体を形成する方法。
【請求項１２】
請求項１１の方法において、包装材料が第１紙層に接着剤で積層された水不透過性プラスチックフィルムを含む積層体であり、プラスチックフィルムが第１及び第２表面を有し、プラスチックフィルムの第１表面をコロナ放電加工して該表面が接着剤を受容可能であるようにし、その後、プラスチックフィルムの第１表面を第１紙層に接着剤で積層させることにより、積層体が作製される、方法。
【請求項１３】
請求項１１の方法において、積層体のプラスチックフィルムが、第２紙層に接着剤で積層された第２表面を含み、該積層体が、プラスチックフィルムの第２表面をコロナ放電加工して該表面を粘着材料が受容可能であるようにし、その後に、プラスチックフィルムの第２表面を第２紙層に接着剤で冷間積層することにより、更に処理される、方法。
【請求項１４】
請求項１１の方法において、粘着性材料が包装材料の第１及び第２表面部分に施され、包装材料の第１表面を包装すべき物品の上方に配置し且つ包装材料の第２表面部分を包装すべき物品の下方に配置し、粘着性材料を含む包装材料の第１及び第２表面部分が互いに接触し且つ接着して物品を包み込む封止包装体を形成することにより、包装体が形成される、方法。
【請求項１５】
請求項１１の方法において、積層体の単一シートの一側部に第１及び第２表面部分を提供することと、次に、シートを包装すべき物品の周りに折り重ねて粘着性材料を含む部分を対面する方位に向けて配置し、これらが互いに接着されて包装体を形成することができるようにすることとを更に備える、方法。
【請求項１６】
請求項１１の方法において、粘着性材料が積層シート材の一方の表面全体に施され、第１及び第２表面部分を第１及び第２積層シート材の上に提供することと、粘着性材料を含む表面部分が対面する方位にあり、これらを互いに接着させて包装体を形成するようにシート材を包装すべき物品の上方及び下方に配置することとを更に備える、方法。
【請求項１７】
請求項１１の方法において、物品が包装される箇所に隣接して粘着性材料を含む表面部分の少なくとも一部分に除去可能なライナーを配置し、該表面部分の一部分がその他の粘着性材料を含む表面部分に接着するのを防止し、これにより包装体が形成された後、物品に隣接する非接着縁部を形成することを更に備える、方法。
【請求項１８】
請求項１７の方法において、包装体を開けることのできる箇所の表示を提供することを更に備え、該表示が、包装体を非接着縁部にて開けることを可能にし、ライナーを除去し、粘着性材料を含む表面部分を接触して、該部分を互いに接着させて再封緘した包装体を形成することにより、包装体を再封緘することができるようにした、方法。
【請求項１９】
請求項１１の方法において、プラスチックフィルムが、水系アクリル共重合体組成物又は酢酸ビニルエチレン共重合体を含む接着剤にて紙層に接着剤で積層され、紙層は厚さが約３から６ミルの紙、クラフト紙、ボンド紙又は未印刷紙であり、プラスチックフィルムが、ポリプロピレン、ポリエチレン及びポリエステルを備え且つ厚さが約１から３ミルであり、積層体が選択的に印刷面を含み、該印刷面はプラスチックフィルムに接着され、該プラスチックフィルムが包装体の外側部分を形成するか、もしくは該印刷面は紙層に配置され、該紙層が包装体の外側部分を形成する、方法。
【請求項２０】
請求項１１の方法において、物品を包装すべき箇所に隣接して包装材料の少なくとも一部分の上に感圧型接着剤を施すことと、除去可能なライナーを感圧型接着剤の上に配置し、感圧型接着剤が包装材料のその他の部分に接着するのを防止し、これにより包装体が形成された後、非接着縁部を形成することとを更に備える、方法。